(57)【要約】  移動通信網とＷＬＡＮとの間のハンドオフ方法及び装置を提供する。ルータは、インターネット網から端末へのデータトラフィックを移動通信網の第１のノードへルーティングする。第１のノードは、ルータから受信されたデータトラフィックに対する呼設定が存在するか否かを判断し、判断の結果に従って、データトラフィックを移動通信網の第２のノード又はＷＬＡＮのアクセスルータへルーティングする。アクセスルータは、第１のノードからのデータトラフィックを端末へ転送し、端末からのデータトラフィックをルータへ転送する。第２のノードは、第１のノードから受信されたデータトラフィックを移動通信網に位置した端末と送受信する。ＤＨＣＰサーバは、端末がハンドオフ前にあらかじめ割り当てられたＩＰアドレスをハンドオフ後でも継続して使用できるように端末をサポートする。
2008530943.tif 000002
【特許請求の範囲】
【請求項１】
移動通信網に位置した端末が無線ランへのハンドオフを遂行する方法であって、
前記端末が前記移動通信網への呼を設定するステップと、
前記端末が受信することを希望するサービスに対するインターネットプロトコルアドレスをダイナミックホストコンフィギュレーションプロトコルサーバから割り当てられるステップと、
前記端末が前記割り当てられたインターネットプロトコルアドレスを用いて前記移動通信網を介してインターネット網とデータを送受信するステップと、
前記端末が前記無線ランへのハンドオフを遂行することを決定し、前記無線ランとの接続を設定するステップと、
前記端末が、前記ダイナミックホストコンフィギュレーションプロトコルサーバから割り当てられた前記インターネットプロトコルアドレスの継続使用を要求するメッセージを前記ダイナミックホストコンフィギュレーションプロトコルサーバへ転送し、前記要求メッセージに応じる肯定応答を受信するステップと、
前記端末が前記移動通信網に設定された呼を解除し、前記インターネットプロトコルアドレスを用いて前記無線ランを介して前記インターネット網とデータを送受信するステップと
を具備することを特徴とする方法。
【請求項２】
前記インターネットプロトコルアドレスの継続使用を要求するメッセージは、ダイナミックホストコンフィギュレーションプロトコル要求メッセージであり、前記端末は、前記インターネットプロトコルアドレスを有する前記ダイナミックホストコンフィギュレーションプロトコル要求メッセージを前記無線ランを介して前記ダイナミックホストコンフィギュレーションプロトコルサーバへ転送することを特徴とする請求項１記載の方法。
【請求項３】
前記無線ランを介して前記インターネット網とデータを送受信するステップは、
前記無線ランのアクセスルータを介して前記インターネット網へデータトラフィックを転送するステップと、
前記移動通信網の第１のノード及び前記アクセスルータを介して前記インターネット網から前記データトラフィックを受信するステップとを具備することを特徴とする請求項１記載の方法。
【請求項４】
前記第１のノードは、非同期移動通信網のゲートウェイ汎用パケット無線サービスサポートノード及び同期移動通信網の公衆データサービングノードのうちの少なくともいずれか一つを具備することを特徴とする請求項３記載の方法。
【請求項５】
前記アクセスルータは、前記無線ランのアクセスルータ及び携帯インターネットのアクセスコントロールルータのうちの少なくともいずれか一つを具備することを特徴とする請求項３記載の方法。
【請求項６】
無線ランに位置した端末が移動通信網へのハンドオフを遂行する方法であって、
前記端末が前記無線ランと接続し、前記端末が受信することを希望するサービスに対するインターネットプロトコルアドレスをダイナミックホストコンフィギュレーションプロトコルサーバから割り当てられるステップと、
前記端末が前記インターネットプロトコルアドレスを用いて前記無線ランを介してインターネット網とデータトラフィックを送受信するステップと、
前記端末が前記移動通信網へのハンドオフを遂行することを決定し、前記移動通信網への呼を設定するステップと、
前記端末が、前記ダイナミックホストコンフィギュレーションプロトコルサーバから割り当てられた前記インターネットプロトコルアドレスの継続使用を要求するメッセージを前記ダイナミックホストコンフィギュレーションプロトコルサーバへ転送し、前記要求メッセージに応じる肯定応答を受信するステップと、
前記端末が前記無線ランとの接続を解除し、前記インターネットプロトコルアドレスを用いて前記移動通信網を介して前記インターネット網とデータを送受信するステップと
を具備することを特徴とする方法。
【請求項７】
前記インターネットプロトコルアドレスの継続使用を要求するメッセージは、ダイナミックホストコンフィギュレーションプロトコル要求メッセージであり、前記端末は、前記インターネットプロトコルアドレスを有する前記ダイナミックホストコンフィギュレーションプロトコル要求メッセージを前記移動通信網の第１のノードを介して前記ダイナミックホストコンフィギュレーションプロトコルサーバへ転送することを特徴とする請求項６記載の方法。
【請求項８】
前記無線ランを介して前記インターネット網とデータトラフィックを送受信するステップは、
前記無線ランのアクセスルータを介して前記インターネット網へデータトラフィックを転送するステップと、
前記第１のノード及び前記アクセスルータを介して前記インターネット網から前記データトラフィックを受信するステップとを具備することを特徴とする請求項７記載の方法。
【請求項９】
前記第１のノードは、非同期移動通信網のゲートウェイ汎用パケット無線サービスサポートノード及び同期移動通信網の公衆データサービングノードのうちの少なくともいずれか一つを具備することを特徴とする請求項８記載の方法。
【請求項１０】
前記アクセスルータは、前記無線ランのアクセスルータ及び携帯インターネットのアクセスコントロールルータのうちの少なくともいずれか一つを具備することを特徴とする請求項８記載の方法。
【請求項１１】
移動通信網と無線ランとの間の端末のハンドオフをサポートする装置であって、
インターネット網のサービスサーバに接続され、前記端末へのデータトラフィックを前記移動通信網へルーティングするルータと、
前記移動通信網に位置し、前記ルータに接続され、前記ルータから前記端末へのデータトラフィックを受信し、前記ルータからのデータトラフィックに対する呼設定が存在するか否かを判断し、前記判断の結果に従って、前記データトラフィックをルーティングする第１のノードと、
前記移動通信網に位置し、前記第１のノードに接続され、前記第１のノードから受信されたデータトラフィックを前記移動通信網に位置した端末へ転送して、前記端末から前記インターネット網へのデータトラフィックを前記第１のノードへ転送する第２のノードと、
前記無線ランに位置し、前記アクセスルータ及び前記第１のノードに接続され、前記第１のノードから受信されたデータトラフィックを前記無線ランに位置した端末へ転送し、前記端末から前記インターネット網へのデータトラフィックを前記ルータへ転送するアクセスルータと、
前記無線ランに位置し、前記端末にフレキシブルインターネットプロトコルを割り当て、ハンドオフ前に割り当てられたインターネットプロトコルアドレスをハンドオフ後でも継続して使用するように要求するメッセージを前記端末から受信して、前記端末に前記インターネットプロトコルアドレスを継続して割り当てるダイナミックホストコンフィギュレーションプロトコルサーバと
を具備することを特徴とする装置。
【請求項１２】
前記インターネットプロトコルアドレスの継続使用を要求するメッセージは、ダイナミックホストコンフィギュレーションプロトコル要求メッセージであり、前記端末は、前記ハンドオフ前に割り当てられた前記インターネットプロトコルアドレスを有する前記ダイナミックホストコンフィギュレーションプロトコル要求メッセージを前記ダイナミックホストコンフィギュレーションプロトコルサーバへ転送することを特徴とする請求項１１記載の装置。
【請求項１３】
前記移動通信網への前記データトラフィックに対する呼設定が存在する場合には、前記第１のノードは、前記データトラフィックを前記第２のノードへルーティングし、前記呼設定が存在しない場合には、前記第１のノードは、前記データトラフィックを前記アクセスルータへルーティングすることを特徴とする請求項１１記載の装置。
【請求項１４】
前記移動通信網に位置した前記端末が前記無線ランへのハンドオフを遂行する際に、前記ダイナミックホストコンフィギュレーションプロトコルサーバは、前記端末から前記アクセスルータを介して前記移動通信網で使用されたインターネットプロトコルアドレスの継続使用を要求するメッセージを受信し、前記要求メッセージに応じる肯定応答メッセージを前記アクセスルータを介して前記端末へ転送することを特徴とする請求項１１記載の装置。
【請求項１５】
前記無線ランに位置した前記端末が前記移動通信網へのハンドオフを遂行する際に、前記ダイナミックホストコンフィギュレーションプロトコルサーバは、前記端末から前記第１のノードを介して前記無線ランで使用されたインターネットプロトコルアドレスの継続使用を要求するメッセージを受信し、前記要求メッセージに応じる肯定応答メッセージを前記第１のノードを介して前記端末へ転送することを特徴とする請求項１１記載の装置。
【請求項１６】
前記第１のノードは、非同期移動通信網のゲートウェイ汎用パケット無線サービスサポートノード及び同期移動通信網の公衆データサービングノードのうちの少なくともいずれか一つを具備することを特徴とする請求項１１記載の装置。
【請求項１７】
前記第２のノードは、非同期移動通信網のサービング汎用パケット無線サービスサポートノード及び同期移動通信網のパケットデータコントロールのうちの少なくともいずれか一つを具備することを特徴とする請求項１１記載の装置。
【請求項１８】
前記アクセスルータは、前記無線ランのアクセスルータ及び携帯インターネットのアクセスコントロールルータのうちの少なくともいずれか一つを具備することを特徴とする請求項１１記載の装置。
【発明の詳細な説明】
【技術分野】
【０００１】
本発明は、第３世代（3rd Generation：３Ｇ）移動通信網と無線ローカルエリアネットワーク（Wireless Local Area Network：ＷＬＡＮ）との間の連動（inter-working）のための方法及び装置に関し、特に、本発明は、３Ｇ移動通信網とＷＬＡＮとの間のハンドオフの間に同一のインターネットプロトコル（Internet Protocol：ＩＰ）を使用するための方法及び装置に関する。
【背景技術】
【０００２】
現在、無線サービスは大衆化した。特に、ＩＥＥＥ８０２．１１ｘ規格に準拠したＷＬＡＮ技術は、ホテル、会議場、空港、及びレストランなどのような多様な場所で低価でユーザに便利なインターネットサービスをサポートしており、３Ｇ移動通信網、すなわち、セルラー（Cellular）技術は、グローバルサービスエリアに基づいて、いつでもどこでも、音声及び無線データサービスをユーザに提供する。このように、３Ｇ移動通信網とＷＬＡＮとは、相互のサービスエリアに基づいて発展している。
【０００３】
ＷＬＡＮは、３Ｇ移動通信網に比べて、インターネットサービスの速度及び品質が優れ、特に、コスト面で優れている。しかしながら、ホットスポット（Hot spot）に基づくネットワークであるために、サービスの連続性を保証することができない。このような問題は、グローバルサービスエリアをサポートしている３Ｇ移動通信網を、ホットスポットをサポートしているＷＬＡＮと連動させることによって解決されることができる。
【０００４】
一般に、３Ｇ移動通信網とＷＬＡＮとの連動方式は、連動点（coupling point）に従って、‘蜜結合（tightly coupled）’方式と‘疎結合（loosely coupled）’方式とに大別される。
【０００５】
図１は、従来の蜜結合方式を概略的に示す図である。
図１を参照すると、３Ｇ移動通信網のコアネットワーク（core network）１１０は、インターネット１００のサービスサーバ１０２に接続されるゲートウェイ汎用パケット無線サービスサポートノード（Gateway GPRS（General Packet Radio Service）Support Node：ＧＧＳＮ）１１２と、ＵＴＲＡＮ（Universal Terrestrial Radio Access Network）１１６に接続されるサービング汎用パケット無線サービスサポートノード（Serving GPRS（General Packet Radio Service）Support Node：ＳＧＳＮ）１１４とから構成される。
【０００６】
ＧＩＦ（GPRS Inter-working Function）１２０は、ＷＬＡＮ１３０のアクセスルータ（Access Router：ＡＲ）１３２をＳＧＳＮ１１４に接続することによって、ＷＬＡＮ１３０のトラフィックは、３Ｇ移動通信網のコアネットワーク１１０を経由する。
【０００７】
上述した構成を有する蜜結合方式は、ハンドオフ（handoff）の間に遅延（delay）とパケット損失（packet loss）が少ない長所がある。しかしながら、上記蜜結合方式において、３Ｇ移動通信網とＷＬＡＮとの間の連動のための付加的な機能を遂行するＧＩＦ１２０は、ＳＧＳＮ１１４とＡＲ１３２との間で付加的に実現されなければならず、ＷＬＡＮトラフィックは、３Ｇ移動通信網のコアネットワーク１１０を経由しなければならない。
【０００８】
図２は、従来の‘疎結合（loosely coupled）’方式を概略的に示す図である。
図２を参照すると、３Ｇ移動通信網のコアネットワーク２１０は、インターネット２００のサービスサーバ２０２に接続され、フォーリンエージェント（Foreign Agent：ＦＡ）２１２及び２２２を管理するホームエージェント（Home Agent：ＨＡ）２０４に接続されたＧＧＳＮ２１２及びＳＧＳＮ２１４を構成する。
【０００９】
ＧＧＳＮ２１２は、ＦＡ機能を構成し、外部ＩＰ網とのインターフェースを行い、すなわち、ＷＬＡＮ２２０をＨＡ２０４に接続し、これによって、ＷＬＡＮトラフィックは、セルラー網のコアネットワーク２１０を経由せず、一般的にＨＡ２０４から割り当てられたモバイルＩＰ（Mobile IP）を使用する。
【００１０】
上述した構成を有する疎結合方式は、アクセスネットワーク技術（access network technology）とは無関係に、３Ｇ移動通信網をＷＬＡＮに連動させることができる。しかしながら、上記疎結合方式は、ハンドオフの間に、遅延及びパケット損失が大きく、ハンドオフのためには、モバイルＩＰのみを使用しなければならない。また、モバイルＩＰは、移動性判断遅延（mobility decision delay）、シグナリング転送遅延（signaling transfer delay）、及びＩＰトンネルロード（tunnel load）がＨＡ２０４に集中するという短所があった。
【発明の開示】
【発明が解決しようとする課題】
【００１１】
上記背景に鑑みて、本発明の目的は、蜜結合方式及び疎結合方式の短所を補完して、既存の３Ｇ移動通信網とＷＬＡＮとの間の連動のための付加的な構成なしにも、ハンドオフを可能にする装置及び方法を提供することにある。
【００１２】
本発明の他の目的は、３Ｇ移動通信網に接続した端末がＷＬＡＮへ移動した後、或いは、ＷＬＡＮに接続した端末が３Ｇ移動通信網へ移動した後に、既存のＩＰアドレスを使用してＩＰパケットをやり取りすることができるようにする装置及び方法を提供することにある。
【課題を解決するための手段】
【００１３】
上記のような目的を達成するために、本発明の第１の特徴によると、移動通信網に位置した端末が無線ランへのハンドオフを遂行する方法は、上記端末が上記移動通信網への呼を設定するステップと、上記端末が受信することを希望するサービスに対するインターネットプロトコルアドレスをダイナミックホストコンフィギュレーションプロトコルサーバから割り当てられるステップと、上記端末が上記割り当てられたインターネットプロトコルアドレスを用いて上記移動通信網を介してインターネット網とデータを送受信するステップと、上記端末が上記無線ランへのハンドオフを遂行することを決定し、上記無線ランとの接続を設定するステップと、上記端末が、上記ダイナミックホストコンフィギュレーションプロトコルサーバから割り当てられた上記インターネットプロトコルアドレスの継続使用を要求するメッセージを上記ダイナミックホストコンフィギュレーションプロトコルサーバへ転送し、上記要求メッセージに応じる肯定応答を受信するステップと、上記端末が上記移動通信網に設定された呼を解除し、上記インターネットプロトコルアドレスを用いて上記無線ランを介して上記インターネット網とデータを送受信するステップとを具備することを特徴とする。
【００１４】
本発明の第２の特徴によると、無線ランに位置した端末が移動通信網へのハンドオフを遂行する方法は、上記端末が上記無線ランと接続し、上記端末が受信することを希望するサービスに対するインターネットプロトコルアドレスをダイナミックホストコンフィギュレーションプロトコルサーバから割り当てられるステップと、上記端末が上記インターネットプロトコルアドレスを用いて上記無線ランを介してインターネット網とデータトラフィックを送受信するステップと、上記端末が上記移動通信網へのハンドオフを遂行することを決定し、上記移動通信網への呼を設定するステップと、上記端末が、上記ダイナミックホストコンフィギュレーションプロトコルサーバから割り当てられた上記インターネットプロトコルアドレスの継続使用を要求するメッセージを上記ダイナミックホストコンフィギュレーションプロトコルサーバへ転送し、上記要求メッセージに応じる肯定応答を受信するステップと、上記端末が上記無線ランとの接続を解除し、上記インターネットプロトコルアドレスを用いて上記移動通信網を介して上記インターネット網とデータを送受信するステップとを具備することを特徴とする。
【００１５】
本発明の第３の特徴によると、移動通信網と無線ランとの間の端末のハンドオフをサポートする装置は、インターネット網のサービスサーバに接続され、上記端末へのデータトラフィックを上記移動通信網へルーティングするルータと、上記移動通信網に位置し、上記ルータに接続され、上記ルータから上記端末へのデータトラフィックを受信し、上記ルータからのデータトラフィックに対する呼設定が存在するか否かを判断し、上記判断の結果に従って、上記データトラフィックをルーティングする第１のノードと、上記移動通信網に位置し、上記第１のノードに接続され、上記第１のノードから受信されたデータトラフィックを上記移動通信網に位置した端末へ転送して、上記端末から上記インターネット網へのデータトラフィックを上記第１のノードへ転送する第２のノードと、上記無線ランに位置し、上記アクセスルータ及び上記第１のノードに接続され、上記第１のノードから受信されたデータトラフィックを上記無線ランに位置した端末へ転送し、上記端末から上記インターネット網へのデータトラフィックを上記ルータへ転送するアクセスルータと、上記無線ランに位置し、上記端末にフレキシブルインターネットプロトコルを割り当て、ハンドオフ前に割り当てられたインターネットプロトコルアドレスをハンドオフ後でも継続して使用するように要求するメッセージを上記端末から受信して、上記端末に上記インターネットプロトコルアドレスを継続して割り当てるダイナミックホストコンフィギュレーションプロトコルサーバとを具備することを特徴とする。
【発明の効果】
【００１６】
本発明の実施形態によるシンプル（simple）ＩＰを用いて３Ｇ移動通信網をＷＬＡＮに連動させる新たな方式は、既存の疎結合方式でのハンドオフの際に発生するデータ損失及び時間遅延問題を解決することができ、蜜結合方式の実現のために必要とされる付加的な連動装置及びシグナリングなしにも、３Ｇ移動通信網をＷＬＡＮに連動させることができる。また、本発明は、３Ｇ移動通信網だけでなく、携帯インターネットでも同一の効果を得ることができるという長所を有する。
【発明を実施するための最良の形態】
【００１７】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
【００１８】
本発明は、疎結合（loosely coupled）方式及び蜜結合（tightly coupled）方式の短所を補完して、３Ｇ移動通信網とＷＬＡＮ間の連動（interworking）の間に、シンプル（simple）インターネットプロトコル（Internet Protocol：以下、ＩＰと称する）を使用することができるようにする装置及び方法を提案する。以下、本発明の好ましい実施形態では、３Ｇ移動通信網が広帯域符号分割多元接続（ＷＣＤＭＡ）網である場合を挙げて説明しているが、本発明の実施形態は、ＣＤＭＡ及び携帯インターネットなどにも適用されることができる。
【００１９】
図３は、本発明の好ましい実施形態による３Ｇ移動通信網とＷＬＡＮとの間の連動のための網構成を示す図である。
図３を参照すると、インターネット網３００は、サービスサーバ３０２とサービスサーバ３０２に接続されるルータ３０４とを構成し、３Ｇ移動通信網のコアネットワーク３１０は、ＧＧＳＮ３１２とＳＧＳＮ３１４とを構成する。ルータ３０４は、ＧＧＳＮ３１２及びＷＬＡＮ３２０のアクセスルータ（Access Router：以下、“ＡＲ”と称する）３２２に接続され、ＧＧＳＮ３１２及びＡＲ３２２も相互に接続されている。
【００２０】
フレキシブル（flexible）ＩＰを端末に割り当てるためのダイナミックホストコンフィギュレーションプロトコル（Dynamic Host Configuration Protocol：以下、“ＤＨＣＰ”と称する）サーバ（図示せず）は、ＡＲ３２２に含まれることもでき、または、別途に備えられることもできる。
【００２１】
ルータ３０４は、コアネットワーク３１０及びＷＬＡＮ３２０の各々にルーティング区間を予め設定しておいて、サービスサーバ３０２から受信されたトラフィックの宛先が端末である場合、コアネットワーク３１０のＧＧＳＮ３１２へのルーティングを設定する。
【００２２】
ルータ３０４から受信されたトラフィックに呼設定が存在すると、ＧＧＳＮ３１２は、ＳＧＳＮ３１４へのルーティングを設定する。しかしながら、ルータ３０４から受信されたトラフィックに呼設定が存在しないと、ＧＧＳＮ３１２は、コアネットワーク３１０を通過することなく、トラフィックがＷＬＡＮ３２０に位置した端末へ直接転送されることができるように、ＡＲ３２２へのルーティングを設定する。
【００２３】
同期移動通信網において、公衆サービングデータノード（Public Serving Data Node：ＰＳＤＮ）は、ＧＧＳＮ３１２に該当し、パケットコントロールファンクション（Packet Control Function：ＰＣＦ）は、ＳＧＳＮ３１４に該当する。
【００２４】
ＡＲ３２２は、デフォルトルーティング（default routing）をルータ３０４に設定する。
【００２５】
図４及び図５を参照して、本発明の好ましい実施形態によるルータ３０４、ＧＧＳＮ３１２、及びＡＲ３２２に設定されたルーティングを介した３Ｇ移動通信網及びＷＬＡＮのトラフィックのフローについて説明する。
【００２６】
図４は、本発明の好ましい実施形態による３Ｇ移動通信網のトラフィックフロー図である。
図４を参照すると、参照符号４０２は、宛先が端末４０８であるトラフィックがルータ３０４からＧＧＳＮ３１２へ伝達されるルートを示し、参照符号４０４は、ＧＧＳＮ３１２へ伝達されたトラフィックのうちで３Ｇ移動通信網と呼が設定された端末４０８に対するトラフィックがＳＧＳＮ３１４へ伝達されるルートを示す。また、ＳＧＳＮ３１４へ伝達された上記トラフィックは、ルート４０６を介してＵＴＲＡＮ３１６と通信している３Ｇ移動通信網に位置した端末４０８へ転送される。
【００２７】
端末４０８が、宛先がインターネット網３００であるデータトラフィックを発生すると、上記トラフィックは、ルート４０６、４０４、及び４０２を介してインターネット網３００へ転送される。
【００２８】
図５は、本発明の好ましい実施形態によるＷＬＡＮのトラフィックフローを示す図である。
図５を参照すると、参照符号５０６は、宛先が端末５０８であるトラフィックがルータ３０４からＧＧＳＮ３１２へ伝達されるルートを示し、参照符号５０７は、端末５０８が３Ｇ移動通信網との呼設定がなされない場合に、ＧＧＳＮ３１２で受信されたトラフィックがＡＲ３２２へ転送されるルートを示す。ＡＲ３２２へ転送された上記トラフィックは、ルート５０４を介してＷＬＡＮ３２０に位置した端末５０８へ転送される。
【００２９】
端末５０８が、宛先がインターネット網３００であるデータトラフィックを発生すると、上記データトラフィックは、ルート５０４を介してＡＲ３２２へ転送された後、ルート５０２を介してルータ３０４へ転送される。最終的に、上記データトラフィックは、インターネット網３００へ転送される。すなわち、端末５０８によって発生されたデータトラフィックは、コアネットワーク３１０を通過することなく、ＷＬＡＮ３２０のＡＲ３２２を介してインターネット網３００へ直接伝達される。
【００３０】
図４及び図５を参照して説明したように、本発明の好ましい実施形態によると、インターネット網３００から３Ｇ移動通信網へのトラフィックは、コアネットワーク３１０のＧＧＳＮ３１２を介して３Ｇ移動通信網に位置した端末へ転送されるが、ＷＬＡＮ３２０からインターネット網３００へのトラフィックは、コアネットワーク３１０を通過することなく、ＷＬＡＮ３２０のＡＲ３２２を介してインターネット網３００へ直接転送されることができる。
【００３１】
以下、図６Ａ乃至図７Ｂを参照して、本発明の好ましい実施形態による端末が３Ｇ移動通信網あるいはＷＬＡＮへ移動した後でも、既存のＩＰを継続して使用する方法について説明する。
【００３２】
図６Ａ及び図６Ｂは、本発明の好ましい実施形態による３Ｇ移動通信網からＷＬＡＮへのハンドオフ手順を示すはしご図である。
図６Ａ及び図６Ｂを参照すると、ステップ６１０で、ＵＥ（User Equipment）６０１は、ハンドオフされることを希望するサービスに該当するアクセスポイントネーム（Access Point Name：ＡＰＮ）を含む‘アクティブパケットデータプロトコル（Packet Data Protocol：ＰＤＰ）コンテキスト要求（以下、Ａｃｔｉｖｅ ＰＤＰ Ｃｏｎｔｅｘｔ Ｒｅｑｕｅｓｔと称する）’メッセージをＳＧＳＮ６０５へ転送する。ステップ６１２で、ＳＧＳＮ６０５は、‘クリエートＰＤＰコンテキスト要求（以下、Ｃｒｅａｔｅ ＰＤＰ Ｃｏｎｔｅｘｔ Ｒｅｑｕｅｓｔと称する）’メッセージを通じてＧＧＳＮ６０６にＡＰＮへの呼を設定した後、ステップ６１４で、ＧＧＳＮ６０６から‘クリエートＰＤＰコンテキスト応答（以下、Ｃｒｅａｔｅ ＰＤＰ Ｃｏｎｔｅｘｔ Ｒｅｓｐｏｎｓｅと称する）’メッセージを受信する。この後、ステップ６１６で、ＳＧＳＮ６０５は、‘アクティブＰＤＰコンテキスト応答（以下、Ａｃｔｉｖｅ ＰＤＰ Ｃｏｎｔｅｘｔ Ｒｅｓｐｏｎｓｅと称する）’メッセージをＵＥ６０１へ転送する。このように、ＵＥ６０１は、ＡＰＮに該当する呼を設定する（プロセスＡ）。
【００３３】
プロセスＡを通して呼が設定されると、ステップ６１８ａ及びステップＳ６１８ｂで、ＵＥ６０１は、ＧＧＳＮ６０６を介してＤＨＣＰサーバ６０７へ‘ＤＨＣＰＤＩＳＣＯＶＥＲ’メッセージを転送する。‘ＤＨＣＰＤＩＳＣＯＶＥＲ’メッセージを受信すると、ＤＨＣＰサーバ６０７は、ステップ６２０ａ及びステップ６２０ｂで、使用可能なＩＰを含むＤＨＣＰＯＦＦＥＲメッセージをＵＥ６０１へ転送する（プロセスＢ）。
【００３４】
プロセスＢを通してＩＰを受信すると、ＵＥ６０１は、ステップ６２２ａ及びステップ６２２ｂで、ＧＧＳＮ６０６を介して上記ＩＰの割当てを要求するＤＨＣＰＲＥＱＵＥＳＴメッセージをＧＧＳＮ６０６を介してＤＨＣＰサーバ６０７へ転送する。この後、ＤＨＣＰサーバ６０７は、ステップ６２４ａ及びステップ６２４ｂで、ＩＰリース期間（lease time）のようなＤＨＣＰオプション値を含むＤＨＣＰＡＣＫメッセージをＧＧＳＮ６０６を介してＵＥ６０１へ転送する（プロセスＣ）。
【００３５】
ＩＰがプロセスＣを通してＵＥ６０１に割り当てられると、ステップ６２６で、ＧＧＳＮ６０６は、‘アップデートＰＤＰコンテキスト要求（以下、Ｕｐｄａｔｅ ＰＤＰ Ｃｏｎｔｅｘｔ Ｒｅｑｕｅｓｔと称する）’メッセージをＳＧＳＮ６０５へ転送して、ステップ６２８で、ＳＧＳＮ６０５は、上記割り当てられたＩＰにＩＰが変更されたことを知らせる‘モディファイＰＤＰコンテキスト要求（以下、Ｍｏｄｉｆｙ ＰＤＰ Ｃｏｎｔｅｘｔ Ｒｅｑｕｅｓｔと称する）’メッセージをＵＥ６０１へ転送する。‘Ｍｏｄｉｆｙ ＰＤＰ Ｃｏｎｔｅｘｔ Ｒｅｑｕｅｓｔ’メッセージを受信すると、ステップ６３０で、ＵＥ６０１は、‘モディファイＰＤＰコンテキスト応答（以下、Ｍｏｄｉｆｙ ＰＤＰ Ｃｏｎｔｅｘｔ Ｒｅｓｐｏｎｓｅと称する）’メッセージをＳＧＳＮ６０５へ転送し、ステップ６３２で、ＳＧＳＮ６０５は、‘アップデートＰＤＰコンテキスト応答（以下、Ｕｐｄａｔｅ ＰＤＰ Ｃｏｎｔｅｘｔ Ｒｅｓｐｏｎｓｅと称する）’メッセージをＧＧＳＮ６０６へ転送する（プロセスＤ）。
【００３６】
プロセスＡ乃至プロセスＤを通して呼が設定された後に、ＵＥ６０１は、ステップ６３４で、ＧＧＳＮ６０６、ＳＧＳＮ６０５、及びＵＴＲＡＮ６０４を介して３Ｇ移動通信網が宛先であるデータトラフィックをピアノード（Peer Node）６０８と送受信することができる。
【００３７】
ピアノード６０８とデータをやり取りする間に、ステップ６３６で、ＵＥ６０１は、ハンドオフを遂行するためのＷＬＡＮを検索して選択し、ステップ６３８で、上記選択されたＷＬＡＮへのハンドオフを遂行することを決定する。ステップ６４０で、ＵＥ６０１は、ＷＬＡＮとアクセスポイント（Access Point：ＡＰ）６０２との接続（association）過程を遂行する。
【００３８】
上記接続過程の後、ステップ６４２ａ及びステップ６４２ｂで、ＵＥ６０１は、ＤＨＣＰＲＥＱＵＥＳＴメッセージをＡＲ６０３を介してＤＨＣＰサーバ６０７へ転送し、ステップ６４２ｃ及びステップ６４２ｄで、ＡＲ６０３を介してＤＨＣＰサーバ６０７からＤＨＣＰＡＣＫメッセージを受信する。この場合、ＵＥ６０１は、ステップ６１８ａ及びステップ６１８ｂにおけるように、ＤＨＣＰＤＩＳＣＯＶＥＲメッセージを転送しないとしても、上記割り当てられたＩＰを有するＤＨＣＰＲＥＱＵＥＳＴメッセージをＤＨＣＰサーバ６０７へ転送することによって、ハンドオフ後でも既存のＩＰを維持することができる（プロセスＥ）。
【００３９】
プロセスＥで、ＵＥ６０１とＷＬＡＮ間の呼設定が完了すると、ステップ６４４で、ＵＥ６０１は、‘非活性化ＰＤＰコンテキスト要求（以下、Ｄｅａｃｔｉｖａｔｅ ＰＤＰ Ｃｏｎｔｅｘｔ Ｒｅｑｕｅｓｔと称する）’メッセージをＳＧＳＮ６０５へ転送する。‘Ｄｅａｃｔｉｖａｔｅ ＰＤＰ Ｃｏｎｔｅｘｔ Ｒｅｑｕｅｓｔ’メッセージを受信すると、ステップ６４６で、ＳＧＳＮ６０５は、‘削除ＰＤＰコンテキスト要求（以下、Ｄｅｌｅｔｅ ＰＤＰ Ｃｏｎｔｅｘｔ Ｒｅｑｕｅｓｔと称する）’メッセージをＧＧＳＮ６０６へ転送して、３Ｇ移動通信網との呼解除を要求する。その後、ＧＧＳＮ６０６は、３Ｇ移動通信網に接続された呼を解除し、ステップ６４８で、‘削除ＰＤＰコンテキスト応答（以下、Ｄｅｌｅｔｅ ＰＤＰ Ｃｏｎｔｅｘｔ Ｒｅｓｐｏｎｓｅと称する）’メッセージをＳＧＳＮ６０５へ転送する。‘Ｄｅｌｅｔｅ ＰＤＰ Ｃｏｎｔｅｘｔ Ｒｅｓｐｏｎｓｅ’メッセージを受信すると、ステップ６５０で、ＳＧＳＮ６０５は、‘非活性化ＰＤＰコンテキスト応答（以下、Ｄｅａｃｔｉｖａｔｅ ＰＤＰ Ｃｏｎｔｅｘｔ Ｒｅｓｐｏｎｓｅと称する）’メッセージをＵＥ６０１へ転送して、３Ｇ移動通信網との呼が解除されたことを通知する。
【００４０】
この後、ステップ６５２で、ＷＬＡＮに位置したＵＥ６０１のデータトラフィックが送受信される。すなわち、ＵＥ６０１からピアノード６０８へのデータトラフィックは、ＡＲ６０３からインターネット網へ伝達され、ピアノード６０８からＵＥ６０１へのデータトラフィックは、インターネット網からＧＧＳＮ６０６、ＡＲ６０３、及びＡＰ６０２を介してＵＥ６０１へ伝達される。
【００４１】
図７Ａ及び図７Ｂは、本発明の好ましい実施形態によるＷＬＡＮから３Ｇ移動通信網へのハンドオフ手順を示すはしご図である。
図７Ａ及び図７Ｂを参照すると、ＵＥ７０１は、ステップ７１０で、ＡＰ７０２と接続過程を遂行し、ステップ７２０ａ及びステップ７２０ｂで、ＤＨＣＰＤＩＳＣＯＶＥＲメッセージをＡＲ７０３を介してＤＨＣＰサーバ７０７へ転送する。ＤＨＣＰＤＩＳＣＯＶＥＲメッセージを受信すると、ステップ７２２ａ及びステップ７２２ｂで、ＤＨＣＰサーバ７０７は、ＤＨＣＰＯＦＦＥＲメッセージをＡＲ７０３を介してＵＥ７０１へ転送する（プロセスＡ）。
【００４２】
プロセスＡを通して使用可能なＩＰを受信すると、ＵＥ７０１は、ステップ７２４ａ及びステップ７２４ｂで、上記ＩＰの割当てを要求するＤＨＣＰＲＥＱＵＥＳＴメッセージをＡＲ７０３を介してＤＨＣＰサーバ７０７へ転送する。この後、ＤＨＣＰサーバ７０７は、上記ＩＰを割り当て、ステップ７２６ａ及びステップ７２６ｂで、ＩＰリース期間（lease time）のようなＤＨＣＰオプション値を含むＤＨＣＰＡＣＫメッセージをＡＲ７０３を介してＵＥ７０１へ転送する（プロセスＢ）。
【００４３】
プロセスＢを通してＤＨＣＰサーバ７０７から割り当てられた上記要求されたＩＰを受信すると、ＵＥ７０１は、ステップ７２８で、ピアノード（Peer Node）７０８とデータを送受信することができる。すなわち、ＵＥ７０１からピアノード７０８へのデータトラフィックは、ＡＰ７０２及びＡＲ７０３を介してインターネット網へ直接伝達され、ピアノード７０８からＵＥ７０１へのデータトラフィックは、ＧＧＳＮ７０６を介してインターネット網からＡＲ７０３へ伝達される。
【００４４】
この後、ＵＥ７０１は、ステップ７３０で、ＷＬＡＮの無線状態をモニタリングする。ステップ７３２で、ＵＥ７０１が３Ｇ移動通信網へのハンドオフを遂行することを決定すると、ＵＥ７０１は、プロセスＣへ進行して、ＵＴＲＡＮ７０４、ＳＧＳＮ７０５、及びＧＧＳＮ７０６への呼を設定する。
【００４５】
ステップ７３４で、ＵＥ７０１は、ハンドオフされることを希望するサービスに該当するＡＰＮを含む‘Ａｃｔｉｖｅ ＰＤＰ Ｃｏｎｔｅｘｔ Ｒｅｑｕｅｓｔ’メッセージをＳＧＳＮ７０５へ転送する。ステップ７３６で、ＳＧＳＮ７０５は、‘Ｃｒｅａｔｅ ＰＤＰ Ｃｏｎｔｅｘｔ Ｒｅｑｕｅｓｔ’メッセージを通じてＧＧＳＮ７０６にＡＰＮへの呼を設定した後、ステップ７３８で、ＧＧＳＮ７０６から‘Ｃｒｅａｔｅ ＰＤＰ Ｃｏｎｔｅｘｔ Ｒｅｑｕｅｓｔ’メッセージを受信する。ステップ７４０で、ＳＧＳＮ７０５は、‘Ａｃｔｉｖｅ ＰＤＰ Ｃｏｎｔｅｘｔ Ｒｅｓｐｏｎｓｅ’メッセージをＵＥ７０１へ転送する。このように、ＵＥ７０１は、ＡＰＮに該当する呼を設定する（プロセスＣ）。
【００４６】
プロセスＣを通して呼設定が完了すると、ステップ７４２ａ及びステップ７４２ｂで、ＵＥ７０１は、ＡＰＮに該当するサービスに対するＩＰの割当てを要求するＤＨＣＰＲＥＱＵＥＳＴメッセージをＧＧＳＮ７０６を介してＤＨＣＰサーバ７０７へ転送する。この場合、ＵＥ７０１は、上記割り当てられたＩＰアドレスを有するＤＨＣＰＲＥＱＵＥＳＴメッセージを転送する。従って、ＤＨＣＰサーバ７０７は、ステップ７２０ａ及びステップ７２０ｂにおけるように、ＵＥ７０１からＤＨＣＰＤＩＳＣＯＶＥＲメッセージを受信しないとしても、ＵＥ７０１が新たなＩＰを割り当てることなく、上記割り当てられたＩＰアドレスを継続して使用するようにする。この後、ステップ７４４ａ及びステップ７４４ｂで、ＤＨＣＰサーバ７０７は、ＤＨＣＰＡＣＫメッセージをＧＧＳＮ７０６を介してＵＥ７０１へ転送する（プロセスＤ）。
【００４７】
ＵＥ７０１にあらかじめ割り当てられたＩＰがプロセスＤを通して維持されると、ステップ７４６で、ＧＧＳＮ７０６は、‘Ｕｐｄａｔｅ ＰＤＰ Ｃｏｎｔｅｘｔ Ｒｅｑｕｅｓｔ’メッセージをＳＧＳＮ７０５へ転送し、ステップ７４８で、ＳＧＳＮ７０５は、‘Ｍｏｄｉｆｙ ＰＤＰ Ｃｏｎｔｅｘｔ Ｒｅｑｕｅｓｔ’メッセージをＵＥ７０１へ転送し、上記あらかじめ割り当てられたＩＰの継続使用を通知する。‘Ｍｏｄｉｆｙ ＰＤＰ Ｃｏｎｔｅｘｔ Ｒｅｑｕｅｓｔ’メッセージを受信すると、ＵＥ７０１は、ステップ７５０で、‘Ｍｏｄｉｆｙ ＰＤＰ Ｃｏｎｔｅｘｔ Ｒｅｓｐｏｎｓｅ’メッセージをＳＧＳＮ７０５へ転送し、ＳＧＳＮ７０５は、ステップ７５２で、‘Ｕｐｄａｔｅ ＰＤＰ Ｃｏｎｔｅｘｔ Ｒｅｓｐｏｎｓｅ’メッセージをＧＧＳＮ７０６へ転送する（プロセスＥ）。
【００４８】
プロセスＣ、Ｄ、及びＥを通して、３Ｇ移動通信網への呼設定手順が完全に完了すると、ステップ７５４で、ＵＥ７０１は、ＡＰ７０２と接続解除（de-association）を遂行する。この後、ステップ７５６で、ＵＥ７０１は、ＵＴＲＡＮ７０４、ＳＧＳＮ７０５、及びＧＧＳＮ７０６を介してピアノード７０８とデータトラフィックを送受信する。
【００４９】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００５０】
【図１】従来技術による３Ｇ移動通信網とＷＬＡＮとの蜜結合方式を概略的に示す図である。
【図２】従来技術による３Ｇ移動通信網とＷＬＡＮとの疎結合方式を概略的に示す図である。
【図３】本発明の好ましい実施形態による３Ｇ移動通信網とＷＬＡＮとの間の連動のための網構成を示す図である。
【図４】本発明の好ましい実施形態による３Ｇ移動通信網のトラフィックフロー図である。
【図５】本発明の好ましい実施形態によるＷＬＡＮのトラフィックフローを示す図である。
【図６Ａ】本発明の好ましい実施形態による３Ｇ移動通信網からＷＬＡＮへのハンドオフ手順を示すはしご図である。
【図６Ｂ】本発明の好ましい実施形態による３Ｇ移動通信網からＷＬＡＮへのハンドオフ手順を示すはしご図である。
【図７Ａ】本発明の好ましい実施形態によるＷＬＡＮから３Ｇ移動通信網へのハンドオフ手順を示すはしご図である。
【図７Ｂ】本発明の好ましい実施形態によるＷＬＡＮから３Ｇ移動通信網へのハンドオフ手順を示すはしご図である。
【符号の説明】
【００５１】
３００      インターネット網
３０２      サービスサーバ
３０４      ルータ
３１０      コアネットワーク
３１２      ＧＧＳＮ
３１４      ＳＧＳＮ
３１６      ＵＴＲＡＮ
３２０      ＷＬＡＮ
３２２      アクセスルータ
４０２，４０４、４０６      ルート
４０８      端末
５０２、５０４、５０６、５０７      ルート
５０８      端末
【図１】
2008530943.tif 000003
【図２】
2008530943.tif 000004
【図３】
2008530943.tif 000005
【図４】
2008530943.tif 000006
【図５】
2008530943.tif 000007
【図６Ａ】
2008530943.tif 000008
【図６Ｂ】
2008530943.tif 000009
【図７Ａ】
2008530943.tif 000010
【図７Ｂ】
2008530943.tif 000011
【国際調査報告】
2008530943.tif 000012
2008530943.tif 000013